(57)【要約】【課題】  施工効率の向上及び施工コストの低減が可能な間仕切壁の施工方法を提供する。【解決手段】  建物内に設定した壁パネル立設位置Ｐに複数の定形壁パネル１０と変形壁パネル１２を建て込んで形成される間仕切壁４であって、複数の定形壁パネル１０を、予め所定の形状に形成した後に建物内に搬入して、壁パネル立設位置の一方の端部から他方の端部へ連続して順番に建て込み、複数の定形壁パネル１０のうち壁パネル立設位置Ｐに最後に建て込まれる定形壁パネル１０が、壁パネル立設位置Ｐに建て込み不可である場合に、変形壁パネル１２を、壁パネル立設位置Ｐに建て込み可能な形状に、間仕切壁４の施工現場となる建物内で寸法合わせしながら形成し、形成した変形壁パネル１２を壁パネル立設位置Ｐに建て込む。【選択図】    図１
2006316463.tif 000002
【特許請求の範囲】
【請求項１】
建物内に設定された壁パネル立設位置に予め所定の形状に形成された複数の壁パネルを連続させて建て込んで間仕切壁を形成する間仕切壁の施工方法であって、
前記複数の壁パネルを前記壁パネル立設位置の一方の端部から他方の端部へ順番に建て込む工程と、前記複数の壁パネルのうち最後に建て込まれる壁パネルが前記壁パネル立設位置に建て込み不可である場合に、前記壁パネル立設位置に建て込み可能な形状の変形壁パネルを前記間仕切壁の施工現場で寸法合わせしながら形成する工程と、前記変形壁パネルを前記壁パネル立設位置の前記他方の端部に建て込む工程と、を有することを特徴とする間仕切壁の施工方法。
【請求項２】
前記壁パネル立設位置の天井面に、前記壁パネルの上端を壁パネルの厚さ方向の両側から支持するとともに前記壁パネル立設位置の床面へ向けて突出する二つの突出部を有する天井ランナーを固定し、前記二つの突出部のうち一方の突出部を、他方の突出部よりも前記床面へ向けて突出する長さを長くしておき、前記壁パネルの上端を、前記他方の突出部側から前記二つの突出部間へ差し込んで前記壁パネルを前記壁パネル立設位置に建て込むことを特徴とする請求項１に記載した間仕切壁の施工方法。
【請求項３】
前記二つの突出部間の間隔を前記壁パネルの上端の厚さ寸法よりも大きくしておき、前記二つの突出部間に前記壁パネルの上端を差し込んで壁パネルを前記壁パネル立設位置に建て込んだ後に、前記壁パネルの上端と前記二つの突出部のうち少なくとも一方との間に、前記二つの突出部間で前記壁パネルの上端が壁パネルの厚さ方向に変位することを防止する変位防止部材を介在させることを特徴とする請求項２に記載した間仕切壁の施工方法。
【発明の詳細な説明】
【技術分野】
【０００１】
本発明は、例えば、建物内に形成される間仕切壁の施工方法に関する。
【背景技術】
【０００２】
近年、フリープランのマンション等、内部を所望のレイアウトに構成可能な建物が増加している。このような建物の内部に形成される間仕切壁の施工方法としては、例えば、以下に示すような方法が用いられている。
この方法は、建物内に設定された壁パネル立設位置に、予め所定の形状と寸法に形成された壁パネル（以下、「定形壁パネル」と記載する）と、形成する間仕切壁の形状に応じて、定形壁パネルと異なる形状又は寸法に形成された壁パネル（以下、「変形壁パネル」と記載する）を建て込む方法である。
定形壁パネル及び変形壁パネルは、予め、建物外の工場で設計図面を基にして形成された後、建物内に搬入されて壁パネル立設位置に建て込まれる。
【発明の開示】
【発明が解決しようとする課題】
【０００３】
しかしながら、上述した間仕切壁の施工方法では、施工現場と設計図面との誤差等によって、変形壁パネルの形状が、建物内で必要な形状と異なることがある。この場合、変形壁パネルを工場へ戻し、建物内で必要な形状に修正した後、再び建物内に搬入することとなるため、変形壁パネルの形成に係る作業効率が低下して、間仕切壁の施工に係る作業効率が低下する。また、変形壁パネルを工場へ戻す工程が発生するため、間仕切壁の施工に係る作業効率が低下するとともに、変形壁パネルの搬送コストが発生するため、間仕切壁の施工に係る作業コストが増加してしまう。さらに、変形壁パネルの形状の修正が不充分であることが多いため、施工現場と工場の間を何度も往復することも珍しくない。
本発明は、上記のような問題点に着目してなされたもので、変形壁パネルの形成に係る作業効率を向上させることにより、間仕切壁の施工に係る作業効率の向上及び作業コストの低減が可能な間仕切壁の施工方法を提供することを課題とする。
【課題を解決するための手段】
【０００４】
上記課題を解決するために、本発明のうち、請求項１に記載した発明は、建物内に設定された壁パネル立設位置に予め所定の形状に形成された複数の壁パネルを連続させて建て込んで間仕切壁を形成する間仕切壁の施工方法であって、
前記複数の壁パネルを前記壁パネル立設位置の一方の端部から他方の端部へ順番に建て込む工程と、前記複数の壁パネルのうち最後に建て込まれる壁パネルが前記壁パネル立設位置に建て込み不可である場合に、前記壁パネル立設位置に建て込み可能な形状の変形壁パネルを前記間仕切壁の施工現場で寸法合わせしながら形成する工程と、前記変形壁パネルを前記壁パネル立設位置の前記他方の端部に建て込む工程と、を有することを特徴とするものである。
本発明によると、壁パネル立設位置に建て込み可能な形状の変形壁パネルを、間仕切壁の施工現場となる建物内で形成するため、変形壁パネルを建物外へ搬出する工程が生じることがなく、変形壁パネルの形成に係る作業効率が向上する。
【０００５】
次に、請求項２に記載した発明は、請求項１に記載した発明であって、前記壁パネル立設位置の天井面に、前記壁パネルの上端を壁パネルの厚さ方向の両側から支持するとともに前記壁パネル立設位置の床面へ向けて突出する二つの突出部を有する天井ランナーを固定し、前記二つの突出部のうち一方の突出部を、他方の突出部よりも前記床面へ向けて突出する長さを長くしておき、前記壁パネルの上端を、前記他方の突出部側から前記二つの突出部間へ差し込んで前記壁パネルを前記壁パネル立設位置に建て込むことを特徴とするものである。
本発明によると、壁パネルの上端を二つの突出部間に差し込む際に、壁パネルの上端側を、床面へ向けて突出する長さが短い他方の突出部側から差し込むことにより、壁パネルの上端を二つの突出部間に容易に差し込むことが可能となるため、間仕切壁の施工効率が向上する。
【０００６】
次に、請求項３に記載した発明は、請求項２に記載した発明であって、前記二つの突出部間の間隔を前記壁パネルの上端の厚さ寸法よりも大きくしておき、前記二つの突出部間に前記壁パネルの上端を差し込んで壁パネルを前記壁パネル立設位置に建て込んだ後に、前記壁パネルの上端と前記二つの突出部のうち少なくとも一方との間に、前記二つの突出部間で前記壁パネルの上端が壁パネルの厚さ方向に変位することを防止する変位防止部材を介在させることを特徴とするものである。
本発明によると、両突出部間の間隔が広いため壁パネルの建て込みが容易となり、壁パネルの建て込み後は、突出部と壁パネルの上端との間に、二つの突出部間で壁パネルの上端が壁パネルの厚さ方向に変位することを防止する変位防止部材を介在させたため、二つの突出部間において、壁パネルの上端が変位することが防止され、間仕切壁の施工効率が向上する。
【発明の効果】
【０００７】
本発明によれば、壁パネル立設位置に建て込まれる複数の壁パネルのうち、最後に建て込まれる壁パネルが壁パネル立設位置に建て込み不可であっても、壁パネル立設位置に建て込み可能な形状の変形壁パネルを、間仕切壁の施工現場となる建物内で形成し、この変形壁パネルを壁パネル立設位置に建て込むため、間仕切壁の施工効率の向上及び作業コストの低減が可能となる。
【発明を実施するための最良の形態】
【０００８】
次に、本発明の実施形態について図面を参照しつつ説明する。
本実施形態では、間仕切壁の施工方法の一例として、図１（ａ）に示すように、洋室１と廊下２との間に壁パネル立設位置Ｐを設定し、この壁パネル立設位置Ｐに図１（ｂ）に示すような間仕切壁４を形成する場合について説明する。ここで、壁パネル立設位置Ｐとは、間仕切壁４を構築するための予定位置を意味する。なお、図１中に示す符号６はマンションのコンクリート壁を示し、符号８はドアを示し、符号８ａ，８ｂはドア枠を示している。
【０００９】
間仕切壁４は、複数の定形壁パネル１０と変形壁パネル１２を備えている。なお、図１（ｂ）中では、間仕切壁４を、定形壁パネル１０三枚及び変形壁パネル１２一枚を備えた構成としたが、間仕切壁４の構成は、これに限定されるものではない。
定形壁パネル１０は、図２に示すように、枠体１４と、枠体１４に固定される定形ボード１６とを備えており、予め所定の形状に形成された後に建物内に搬入され、壁パネル立設位置Ｐの一方の端部から他方の端部へ連続して、順番に建て込まれる。なお、本実施形態では、壁パネル立設位置Ｐの一方の端部をコンクリート壁６側の端部とし、壁パネル立設位置Ｐの他方の端部をドア８のドア枠８ａ側の端部とする。
【００１０】
枠体１４は、枠体１４の上下端部を形成する横芯材１８ａ，１８ｂと、枠体１４の側端部を形成する縦芯材２０を枠状に連結して形成されている。横芯材１８ａ，１８ｂのうち、枠体１４の下端部を形成する横芯材１８ａの下端面には、横芯材１８ａの軸方向に沿って連続する凹状溝が設けられており、この凹状溝が、後述する床ランナー２２の床側突出部２４と嵌合する下端側嵌合部２６を形成している。縦芯材２０の外側面には、縦芯材２０の軸方向に沿って連続する凹状溝が設けられており、この凹状溝が、後述する壁パネル結合部材２８が嵌合する結合部材嵌合部３０を形成している。
【００１１】
定形ボード１６は、石膏ボードによって形成され、枠体１４の両側面に、それぞれ、ビス等を用いて固定されている。定形ボード１６の高さＨ1は、枠体１４の高さＨ2よりも低く形成されており、定形ボード１６は、定形ボード１６の下端面が横芯材１８ａの下端面と同一となるように、枠体１４に取り付けられている。すなわち、定形ボード１６の上端部からは枠体１４の一部が突出しており、この突出部分が、後述する天井ランナー３２の天井側突出部３４ａ，３４ｂ間に差し込まれる、定形壁パネル１０の上端側嵌合部３６を形成している。
【００１２】
変形壁パネル１２は、複数の定形壁パネル１０のうち壁パネル立設位置Ｐに最後に建て込まれる定形壁パネル１０が、この定形壁パネル１０の形状又は寸法が合わないことに起因して、壁パネル立設位置Ｐに建て込み不可である場合に、壁パネル立設位置Ｐに建て込み可能な形状又は寸法に、間仕切壁４の施工現場となる建物内で、壁パネル立設位置Ｐに建て込むための空間寸法に合わせながら形成され、壁パネル立設位置Ｐに建て込まれる。変形壁パネル１２の形成及び建て込みに関する説明は後述する。
【００１３】
次に、図３を参照して、定形壁パネル１０を壁パネル立設位置Ｐに建て込む手順について説明する。
まず、図３（ａ）に示すように、壁パネル立設位置Ｐにおいて、天井面３８に天井ランナー３２を固定し、床面４０に床ランナー２２を固定する。天井ランナー３２は、断面コ字状のレール部材であり、床面４０へ向けて突出する二つの天井側突出部３４ａ，３４ｂを有している。両天井側突出部３４ａ，３４ｂ間の距離は、上端側嵌合部３６の厚さ寸法よりも大きくなっている。両天井側突出部３４ａ，３４ｂのうち一方の天井側突出部３４ａは、他方の天井側突出部３４ｂよりも床面４０へ向けて突出する長さが長く形成されている。床ランナー２２は、断面凸状のレール部材であり、天井面３８へ向けて突出する床側突出部２４を有している。床側突出部２４は、定形壁パネル１０の下端側嵌合部２６と嵌合する形状となっている。
【００１４】
次に、図３（ｂ）に示すように、上端側嵌合部３６を、天井側突出部３４ｂ側から両天井側突出部３４ａ，３４ｂ間に差し込んだ後、下端側嵌合部２６と床側突出部２４との位置合わせを行う。
そして、図３（ｃ）に示すように、定形壁パネル１０を降下させて、下端側嵌合部２６と床側突出部２４を嵌合させる。
【００１５】
次に、図３（ｄ）に示すように、天井側突出部３４ａと上端側嵌合部３６との間に、両天井側突出部３４ａ，３４ｂ間に差し込まれた上端側嵌合部３６が、両天井側突出部３４ａ，３４ｂ間で上端側嵌合部３６の厚さ方向に変位することを防止する変位防止部材４２を介在させる。そして、天井側突出部３４ａの外側から、変位防止部材４２を貫通して天井ランナー３２内へ到達する上端側ビス４４を取り付け、天井ランナー３２と変位防止部材４２及び上端側嵌合部３６を結合する。また、定形壁パネル１０の外側から、床ランナー２２内へ到達する下端側ビス４６を取り付けて、定形壁パネル１０の壁パネル立設位置Ｐへの建て込みを終了する。
【００１６】
なお、図４に示すように、隣接する定形壁パネル１０同士は、互いの縦心材２０に設けられた結合部材嵌合部３０間に壁パネル結合部材２８が介装されるとともに、両結合部材嵌合部３０と壁パネル結合部材２８との間に、接着剤４８が充填されている状態で連結する。そして、ビス等によって形成された壁パネル結合ビス５０によって、定形壁パネル１０と壁パネル結合部材２８を結合する。なお、図４中では、壁パネル結合ビス５０を一つのみ示しているが、壁パネル結合ビス５０を二つ以上用いてもよい。
【００１７】
次に、図５を参照して、変形壁パネル１２を形成し、この形成した変形壁パネル１２を壁パネル立設位置Ｐに建て込む手順について説明する。
まず、図５（ａ）に示すように、定形壁パネル１０とドア８のドア枠８ａとの間に、縦芯材２０と同様の構成を有する変形ボード芯材５２を建て込む。
変形ボード芯材５２を建て込む手順は、まず、変形ボード芯材５２の上端側を、天井ランナー３２の両天井側突出部３４ａ，３４ｂ間に差し込んだ後、変形ボード芯材５２の下端側を床ランナー２２に嵌合させる。次に、上述した定形壁パネル１０の建て込み手順と同様に、天井側突出部３４ａと変形ボード芯材５２の上端側との間に、変形ボード芯材５２の上端側が、両天井側突出部３４ａ，３４ｂ間で変位することを防止する変位防止部材４２を配置して、定形壁パネル１０とドア枠８ａとの間に変形ボード芯材５２を建て込む。そして、図５（ｂ）に示すように、間仕切壁４の施工現場となる建物内で寸法合わせしながら、壁パネル立設位置Ｐに建て込み可能な形状に加工した変形ボード５４を、変形ボード芯材５２の両面に固定して、変形壁パネル１２の形成及び建て込みを終了する。なお、変形ボード５４は、定形ボード１６と同様に石膏ボードによって形成されている。
【００１８】
したがって、本実施形態の間仕切壁の施工方法であれば、間仕切壁の施工現場となる建物内で、寸法合わせしながら変形壁パネル１２を形成したため、変形壁パネル１２を建物内から工場に戻す工程が発生しない。その結果、間仕切壁の施工に係る作業効率が向上するとともに、間仕切壁の施工に係る作業コストが低減される。
また、本実施形態の間仕切壁の施工方法であれば、定形壁パネル１０の上端側嵌合部３６を両天井側突出部３４ａ，３４ｂ間に差し込むとともに、定形壁パネル１０の下端側嵌合部２６を、床ランナー２２の床側突出部２４と嵌合させているため、定形壁パネル１０の保持が容易となる。その結果、間仕切壁の施工効率が向上する。
【００１９】
さらに、本実施形態の間仕切壁の施工方法であれば、定形壁パネル１０の上端側嵌合部３６を両天井側突出部３４ａ，３４ｂ間に差し込む際に、上端側嵌合部３６を、天井側突出部３４ｂ側から差し込んでいるため、上端側嵌合部３６を、両天井側突出部３４ａ，３４ｂ間に容易に差し込むことが可能となる。その結果、間仕切壁の施工効率が向上する。
また、本実施形態の間仕切壁の施工方法であれば、天井側突出部３４ａと上端側嵌合部３６との間に変位防止部材４２を介在させたため、両天井側突出部３４ａ，３４ｂ間において、上端側嵌合部３６が厚さ方向に変位することが防止され、間仕切壁４の施工効率が向上するとともに、間仕切壁４の強度が向上する。
【００２０】
また、本実施形態の間仕切壁の施工方法であれば、上端側ビス４４によって、天井ランナー３２と変位防止部材４２及び上端側嵌合部３６が結合されているため、天井ランナー３２による定形壁パネル１０の保持力が向上して、間仕切壁４の強度が向上する。
また、本実施形態の間仕切壁の施工方法であれば、下端側ビス４６によって、定形壁パネル１０と床ランナー２２が結合されているため、床ランナー２２による定形壁パネル１０の保持力が向上して、間仕切壁４の強度が向上する。
【００２１】
また、本実施形態の間仕切壁の施工方法であれば、隣接する定形壁パネル１０間において、両結合部材嵌合部３０間に壁パネル結合部材２８を介装するとともに、両結合部材嵌合部３０と壁パネル結合部材２８との間に接着剤４８を充填した状態で、隣接する定形壁パネル１０同士を連結しているため、間仕切壁４の強度が向上する。
また、本実施形態の間仕切壁の施工方法であれば、壁パネル結合ビス５０によって、隣接する定形壁パネル１０同士と壁パネル結合部材２８が結合されているため、間仕切壁４の強度が向上する。
【００２２】
また、本実施形態の間仕切壁の施工方法であれば、定形壁パネル１０が、枠体１４と、定形ボード１６から形成されているため、定形壁パネル１０を一体物とした場合等と比較して、定形壁パネル１０の軽量化が可能となり、定形壁パネル１０の搬送及び建て込みが容易となる。その結果、間仕切壁の施工に係る作業効率の向上及び作業コストの低減が可能となる。
【００２３】
また、本実施形態の間仕切壁の施工方法であれば、定形ボード１６及び変形ボード５４を石膏ボードによって形成したため、定形ボード１６及び変形ボード５４を木材等で形成した場合と比較して、定形ボード１６及び変形ボード５４の有する防火性能及び防虫性能が向上し、間仕切壁４の安全性及び耐久性が向上する。
また、本実施形態の間仕切壁の施工方法であれば、定形ボード１６が、枠体１４の両面にそれぞれ固定されているため、例えば、洋室１の室内と廊下２等、間仕切壁４の両面を、美麗な外観とすることが可能となる。同様に、変形ボード５４が、変形ボード芯材５２の両面にそれぞれ固定されているため、例えば、洋室１の室内と廊下２等、間仕切壁４の両面を、美麗な外観とすることが可能となる。
【００２４】
なお、本実施形態の間仕切壁の施工方法では、変形壁パネル１２を、定形壁パネル１０とドア８との間に変形ボード芯材５２を建て込み、変形ボード芯材５２の両面にそれぞれ変形ボード５４を固定して形成したが、これに限定されるものではない。すなわち、例えば、変形壁パネル１２の形状が定形壁パネル１０の形状とあまり変わらない場合等は、定形壁パネル１０と同形状の壁パネルを、壁パネル立設位置Ｐに建て込み可能な形状に建物内で加工して、この加工した壁パネルを壁パネル立設位置Ｐに建て込んでもよい。
【００２５】
また、本実施形態の間仕切壁の施工方法では、変形ボード芯材５２のみを、定形壁パネル１０とドア８との間に建て込んだが、これに限定されるものではなく、例えば、変形ボード芯材５２同士を、横芯材１８と同様の構成をなす支持部材連結芯材によって連結してもよい。
さらに、本実施形態の間仕切壁の施工方法では、天井ランナー３２の構成を、天井側突出部３４ａが天井側突出部３４ｂよりも長い構成としたが、これに限定されるものではなく、天井側突出部３４ａと天井側突出部３４ｂの長さが同一であってもよい。
【００２６】
また、本実施形態の間仕切壁の施工方法では、天井側突出部３４ａと上端側嵌合部３６との間に変位防止部材４２を介在させたが、これに限定されるものではなく、天井側突出部３４ｂと上端側嵌合部３６との間に変位防止部材４２を介在させてもよい。また、天井側突出部３４ａと上端側嵌合部３６との間及び天井側突出部３４ｂと上端側嵌合部３６との間に、変位防止部材４２を介在させてもよい。さらに、変位防止部材４２を用いない構成としてもよい。この場合、上端側ビス４４によって、天井ランナー３２と上端側嵌合部３６を結合する構成としてもよい。
【００２７】
また、本実施形態の間仕切壁の施工方法では、上端側ビス４４によって、天井ランナー３２と変位防止部材４２及び上端側嵌合部３６を結合したが、これに限定されるものではなく、例えば、接着剤を用いて、天井ランナー３２と変位防止部材４２及び上端側嵌合部３６を結合することにより、上端側ビス４４を有していない構成としてもよい。
また、本実施形態の間仕切壁の施工方法では、下端側ビス４６によって、定形壁パネル１０と床ランナー２２を結合したが、これに限定されるものではなく、例えば、接着剤を用いて、定形壁パネル１０と床ランナー２２を結合することにより、下端側ビス４６を有していない構成としてもよい。
【００２８】
また、本実施形態の間仕切壁の施工方法では、床ランナー２２に床側突出部２４を設けたが、これに限定されるものではなく、床ランナー２２に床側突出部２４を設けずに、床ランナー２２の上面に断面凹状の溝を設けてもよい。また、床ランナー２２の上面に、床側突出部２４及び断面凹状の溝が混在していてもよい。さらに、床ランナー２２の上面に、床側突出部２４及び断面凹状の溝を設けない構成としてもよい。
【００２９】
また、本実施形態の間仕切壁の施工方法では、隣接する定形壁パネル１０同士を、両結合部材嵌合部３０間に壁パネル結合部材２８を介装して連結したが、これに限定されるものではなく、壁パネル結合部材２８を用いることなく、隣接する定形壁パネル１０同士を連結してもよい。
また、本実施形態の間仕切壁の施工方法では、縦芯材２０に結合部材嵌合部３０を設け、隣接する定形壁パネル１０同士の接触面において両結合部材嵌合部３０同士が対向する構成としたが、これに限定されるものではない。すなわち、隣接する定形壁パネル１０のうち一方を形成する枠体１４に、他方の定形壁パネル１０を形成する枠体１４に設けられた凹部と嵌合する凸部を設けてもよい。この場合、壁パネル結合部材２８を用いる必要が無くなるため、間仕切壁の施工に係る作業効率の向上及び作業コストの低減が可能となる。
【００３０】
また、本実施形態の間仕切壁の施工方法では、両結合部材嵌合部３０間に壁パネル結合部材２８を介装するとともに、両結合部材嵌合部３０と壁パネル結合部材２８との間に接着剤４８を充填した状態で、隣接する定形壁パネル１０同士を連結したが、これに限定されるものではない。すなわち、両結合部材嵌合部３０と壁パネル結合部材２８との間に接着剤４８を充填せずに、隣接する定形壁パネル１０同士を連結してもよい。
【００３１】
また、本実施形態の間仕切壁の施工方法では、壁パネル結合ビス５０によって、隣接する定形壁パネル１０同士及び壁パネル結合部材２８を結合したが、これに限定されるものではなく、壁パネル結合ビス５０を用いない構成としてもよい。
また、本実施形態の間仕切壁の施工方法では、定形壁パネル１０を、枠体１４と定形ボード１６から形成したが、これに限定されるものではなく、定形壁パネル１０を一体物としてもよい。
【００３２】
また、本実施形態の間仕切壁の施工方法では、定形ボード１６及び変形ボード５４を、石膏ボードによって形成したが、これに限定されるものではなく、定形ボード１６及び変形ボード５４を、例えば、木材で形成してもよい。
また、本実施形態の間仕切壁の施工方法では、定形壁パネル１０を、枠体１４の両面にそれぞれ定形ボード１６を固定して形成したが、定形壁パネル１０の構成は、これに限定されるものではない。すなわち、例えば、押入れ等、一方の面のみが外部に露出する場所に建て込まれる定形壁パネル１０は、枠体１４の一方の面のみに定形ボード１６を固定してもよい。この場合、定形壁パネル１０の軽量化及び材料コストの低減が可能となるため、間仕切壁の施工に係る作業効率の向上及び作業コストの低減が可能となる。
【００３３】
また、本実施形態の間仕切壁の施工方法では、定形壁パネル１０とドア枠８ａとの間に建て込んだ変形ボード芯材５２の両面に、変形ボード５４を固定して変形壁パネル１２を形成したが、変形壁パネル１２の形成方法は、これに限定されるものではない。すなわち、例えば、押入れ等、一方の面のみが外部に露出する場所に建て込まれる変形壁パネル１２は、変形ボード芯材５２の一方の面のみに変形ボード５４を固定して形成してもよい。
【００３４】
また、本実施形態の間仕切壁の施工方法は、例えば、クローゼット等、図６に示すような、予め所定の形状に形成された複数の壁パネル５６によって構成されるユニット５８と、このユニット５８とコンクリート壁６との間に形成される間仕切壁４に用いてもよい。
また、本実施形態の間仕切壁の施工方法は、例えば、和室の出入り口等、図７に示すような、下端部が床面４０まで達しておらず、上端側のみが天井ランナー３２に結合されている上部壁間仕切壁６０に用いてもよい。なお、この上部間仕切壁６０は、予め所定の形状に形成された上部定形壁パネル６２と、建物内で加工した上部変形壁パネル６４を備えている。
【００３５】
また、本実施形態の間仕切壁の施工方法は、例えば、台所のカウンター等、図８に示すような、定形壁パネル１０及び変形壁パネル１２のうち少なくとも一つが、上端側と下端側に二分割されている間仕切壁４に用いてもよい。
また、本実施形態の間仕切壁の施工方法は、変形壁パネル１２が建て込まれる位置を、居間や応接間等、廊下や洗面所等と比較して面積の広い場所とすると、変形壁パネル１２の建て込みに係る施工効率が向上するため好適である。
【図面の簡単な説明】
【００３６】
【図１】本発明の実施形態の間仕切壁を示す図である。
【図２】本発明の実施形態の定形壁パネルを示す図である。
【図３】本発明の実施形態の定形壁パネルの建て込み手順を示す図である。
【図４】本発明の実施形態の定形壁パネル同士の連結状態を示す図である。
【図５】本発明の実施形態の変形壁パネルの建て込み手順を示す図である。
【図６】本発明の実施形態の変形例を示す図である。
【図７】本発明の実施形態の変形例を示す図である。
【図８】本発明の実施形態の変形例を示す図である。
【符号の説明】
【００３７】
１    洋室
２    廊下
４    間仕切壁
６    コンクリート壁
８    ドア
１０  定形壁パネル
１２  変形壁パネル
１４  枠体
１６  定形ボード
１８  横芯材
２０  縦芯材
２２  床ランナー
２４  床側突出部
２６  下端側嵌合部
２８  壁パネル結合部材
３０  結合部材嵌合部
３２  天井ランナー
３４  天井側突出部
３６  上端側嵌合部
３８  天井面
４０  床面
４２  変位防止部材
４４  上端側ビス
４６  下端側ビス
４８  接着剤
５０  壁パネル結合ビス
５２  変形ボード芯材
５４  変形ボード
５６  壁パネル
５８  ユニット
６０  上部壁間仕切壁
６２  上部定形壁パネル
６４  上部変形壁パネル
Ｈ1  壁板の高さ
Ｈ2  枠体の高さ
【図１】
2006316463.tif 000003
【図２】
2006316463.tif 000004
【図３】
2006316463.tif 000005
【図４】
2006316463.tif 000006
【図５】
2006316463.tif 000007
【図６】
2006316463.tif 000008
【図７】
2006316463.tif 000009
【図８】
2006316463.tif 000010